(57)【要約】【課題】カメラボディとの絞り制御用の通信が可能であるか否かにかかわらず、良好な絞り制御動作が可能な絞り駆動装置、レンズ鏡筒およびカメラシステムを提供すること。【解決手段】電気信号で駆動され、光が通過する開口の面積を調節可能な絞り機構２６と、絞り機構２６が絞り込まれているか否かを示す絞り込み情報を記憶する記憶手段１６と、スイッチ２３が操作されることにより、絞り込み情報を切り替えて記憶手段１６に記憶する制御部１５と、を有するレンズ鏡筒２である。【選択図】図１
2009175562.tif 000002
【特許請求の範囲】
【請求項１】
電気信号で駆動され、光が通過する開口の面積を調節可能な絞り機構と、
前記絞り機構が絞り込まれているか否かを示す絞り込み情報を記憶する記憶手段と、
スイッチが操作されることにより、前記絞り込み情報を切り替えて前記記憶手段に記憶する制御部と、
を有する絞り駆動装置。
【請求項２】
前記制御部は、起動後に前記記憶手段から前記絞り込み情報を読み出し、前記絞り込み情報が絞り込まれていることを示している場合、前記絞り機構を絞り込む制御を行う請求項１に記載の絞り駆動装置。
【請求項３】
前記制御部は、前記絞り機構を開放位置に移動させた後に絞り込む制御を行う請求項２に記載の絞り駆動装置。
【請求項４】
前記絞り機構で絞り込まれる絞り値を設定する絞り設定手段を有し、前記制御部は、前記絞り設定手段で設定された絞り値に基づいて前記絞り機構を絞り込む制御を行う請求項１〜３のいずれかに記載の絞り駆動装置。
【請求項５】
前記スイッチが操作されたか否かを監視する監視手段をさらに有し、前記制御部は、前記監視手段の監視結果に基づいて前記絞り込み情報を切り替えて前記記憶手段に記憶する請求項１〜４のいずれかに記載の絞り駆動装置。
【請求項６】
前記記憶手段が不揮発性メモリである請求項１〜５のいずれかに記載の絞り駆動装置。
【請求項７】
請求項１〜６のいずれかに記載の絞り駆動装置を有するレンズ鏡筒。
【請求項８】
請求項１に記載の絞り駆動装置と、
前記絞り機構で絞り込まれる絞り値を設定する絞り設定手段と、
カメラボディと接続可能な接続部と、
前記接続部を介して前記カメラボディとの間で前記絞り機構を駆動するための情報を通信可能か否かを判断する判断手段とを有し、
前記制御部は、前記判断手段にて前記通信が不可能であると判断された場合、前記絞り設定手段で設定された絞り値に基づいて前記絞り機構を絞り込む制御を行うレンズ鏡筒。
【請求項９】
請求項１に記載の絞り駆動装置と、
カメラボディと接続可能な接続部と、
前記接続部を介して、前記スイッチに関する信号を前記カメラボディに伝える手段を有するレンズ鏡筒。
【請求項１０】
請求項９に記載のレンズ鏡筒と、カメラボディとを有するカメラシステムであって、
前記カメラボディは、前記スイッチに関する信号に基づき、前記スイッチが操作されたことを検出する検出手段を有するカメラシステム。
【請求項１１】
前記カメラボディは、前記検出手段で前記スイッチが操作されたことが検出された場合に、前記レンズ鏡筒に電力を供給する供給手段を有する請求項１０に記載のカメラシステム。
【請求項１２】
前記カメラボディは、所定時間以上操作されない場合に、前記レンズ鏡筒に供給する電力を減少させる電力制御手段を有する請求項１０または１１に記載のカメラシステム。
【請求項１３】
前記レンズ鏡筒の前記制御部は、前記電力制御手段により前記レンズ鏡筒に供給される電力が減少する前に、前記絞り込み情報を前記記憶手段に記憶する請求項１０〜１２のいずれかに記載のカメラシステム。
【発明の詳細な説明】
【技術分野】
【０００１】
本発明は、絞り駆動装置、レンズ鏡筒およびカメラシステムに関する。
【背景技術】
【０００２】
たとえば一眼レフカメラのカメラボディからレンズ鏡筒に延びるアームなどで、レンズ鏡筒に取り付けられた絞り機構の絞りを制御するカメラシステムでは、いわゆる「アオリ」操作を行うことが困難になる。「アオリ」操作とは、レンズの中心を撮像面の中心からずらしたり、撮像面に対してのレンズの光軸を角度を調節する操作である。
【０００３】
そこで、レンズ鏡筒内にモータアクチュエータなどの絞り機構を搭載して絞りを制御する電気駆動式絞り機構（特許文献１）が開発されている。ところが、従来のカメラシステムでは、レンズ鏡筒内の絞り機構は、カメラボディからの通信信号により制御され、カメラボディに絞り制御用の通信機能がない場合には、レンズ鏡筒に電気駆動式絞り機構が装着してあっても絞り動作ができない。
【０００４】
また、電気駆動式絞り機構を有するレンズ鏡筒が取り付けられたカメラシステムにおいて、マニュアルにて露出の設定を行い、絞りを絞り込んだ状態で被写界深度を確認しながら撮影したい場合がある。そのような場合において、撮影の途中において、ライト調整などのために撮影を中止し、その後に撮影を再開したい場合がある。
【０００５】
そのような場合には、カメラボディのスリープ機能が作用し、カメラボディからレンズ鏡筒への電力供給が遮断され、絞りは、開放位置に戻されてしまう。そのため、スリープ機能を解除して撮影を再開しようとする場合には、従来のカメラシステムでは、マニュアルでの露出の設定をやり直さなければならない。
【０００６】
そこで、レンズ鏡筒に具備させる絞り機構を、カメラボディからの通信信号では駆動されない機械駆動式の絞り機構にすれば、カメラボディのスリープ機能が作用しても、設定された絞り状態を維持することができる。しかしながら、この場合には、カメラボディのレリーズに連動した絞り込み動作ができず、自動絞りなどの機能が使えなくなり、不便である。
【特許文献１】特開昭６３−１７７１１９号公報
【発明の開示】
【発明が解決しようとする課題】
【０００７】
本発明は、このような実状に鑑みてなされ、その目的は、カメラボディとの絞り制御用の通信が可能であるか否かにかかわらず、良好な絞り制御動作が可能な絞り駆動装置、レンズ鏡筒およびカメラシステムを提供することである。
【課題を解決するための手段】
【０００８】
上記目的を達成するために、本発明に係る絞り駆動装置は、
電気信号で駆動され、光が通過する開口の面積を調節可能な絞り機構（２６）と、
前記絞り機構（２６）が絞り込まれているか否かを示す絞り込み情報を記憶する記憶手段（１６）と、
スイッチ（２３）が操作されることにより、前記絞り込み情報を切り替えて前記記憶手段（１６）に記憶する制御部（１５）と、を有する。
【０００９】
本発明の絞り駆動装置では、絞り機構（２６）が絞り込まれているかを示す絞り込み情報を記憶する記憶手段（１６）を有する。そのため、カメラボディのスリープ機能を解除して撮影を再開する際などに、素早く、スリープする前の絞りに戻すことが可能になる。また、スイッチ（２３）を操作することにより、スリープする前の絞りに戻すことを止めたりすることなども可能である。
【００１０】
前記制御部（１５）は、起動後に前記記憶手段（１６）から前記絞り込み情報を読み出し、前記絞り込み情報が絞り込まれていることを示している場合、前記絞り機構（２６）を絞り込む制御を行っても良い。カメラボディの起動前の状態の絞りを記憶しておき、起動後に、素早く、起動前の状態の絞りに戻すことも可能である。
【００１１】
前記制御部（１５）は、前記絞り機構（２６）を開放位置に移動させた後に絞り込む制御を行っても良い。いったん開放位置に戻すことで、正確な絞り制御が可能になる。
【００１２】
前記絞り機構（２６）で絞り込まれる絞り値を設定する絞り設定手段（１７）を有し、前記制御部（１５）は、前記絞り設定手段（１７）で設定された絞り値に基づいて前記絞り機構（２６）を絞り込む制御を行っても良い。カメラボディではなく、レンズ鏡筒側の制御部（１５）で絞り制御を行うことで、カメラボディとの絞り情報の通信ができない場合においても、レンズ鏡筒側のみで絞り制御が可能になる。
【００１３】
前記スイッチ（２３）が操作されたか否かを監視する監視手段（１５）をさらに有し、前記制御部（１５）は、前記監視手段（１５）の監視結果に基づいて前記絞り込み情報を切り替えて前記記憶手段（１６）に記憶してもよい。スイッチ（２３）により、起動前の絞りに戻すか否かを選択することが可能になる。
【００１４】
前記記憶手段（１６）は不揮発性メモリであってもよい。不揮発性メモリに記憶させておくことで、電源がオフ後に起動されたときに、電源がオフされた時点の情報を消去させられることなく記憶することができる。
【００１５】
本発明に係るレンズ鏡筒は、上記のいずれかに記載の絞り駆動装置を有する。具体的には、本発明のレンズ鏡筒は、
上記に記載の絞り駆動装置と、
前記絞り機構（２６）で絞り込まれる絞り値を設定する絞り設定手段（１７）と、
カメラボディと接続可能な接続部（９〜１４）と、
前記接続部（９〜１４）を介して前記カメラボディとの間で前記絞り機構（２６）を駆動するための情報を通信可能か否かを判断する判断手段（１５）とを有し、
前記制御部（１５）は、前記判断手段（１５）にて前記通信が不可能であると判断された場合、前記絞り設定手段（１７）で設定された絞り値に基づいて前記絞り機構（２６）を絞り込む制御を行う。
【００１６】
あるいは、本発明のレンズ鏡筒は、
上記に記載の絞り駆動装置と、
カメラボディと接続可能な接続部（９〜１４）と、
前記接続部（９〜１４）を介して、前記スイッチ（２３）に関する信号を前記カメラボディに伝える手段を有する。
【００１７】
本発明のカメラシステムは、
上記に記載のレンズ鏡筒と、カメラボディとを有するカメラシステムであって、
前記カメラボディは、前記スイッチ（２３）に関する信号に基づき、前記スイッチ（２３）が操作されたことを検出する検出手段（１５）を有する。
【００１８】
前記カメラボディは、前記検出手段で前記スイッチ（２３）が操作されたことが検出された場合に、前記レンズ鏡筒に電力を供給する供給手段（５，７）を有してもよい。
【００１９】
前記カメラボディは、所定時間以上操作されない場合に、前記レンズ鏡筒に供給する電力を減少させる電力制御手段（５）を有してもよい。
【００２０】
前記レンズ鏡筒の前記制御部（１５）は、前記電力制御手段（５）により前記レンズ鏡筒に供給される電力が減少する前に、前記絞り込み情報を前記記憶手段（１６）に記憶してもよい。
【００２１】
なお、上述の説明では、本発明をわかりやすく説明するために、実施形態を示す図面の符号に対応つけて説明したが、本発明は、これに限定されるものでない。後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【発明を実施するための最良の形態】
【００２２】
以下、本発明を、図面に示す実施形態に基づき説明する。
図１は本発明の一実施形態に係る絞り駆動装置が具備してあるレンズ鏡筒を有するカメラシステムのブロック図、
図２は本発明の一実施形態に係る絞り駆動装置のフローチャート図、
図３は図１に示す絞り込みスイッチの作用を示すグラフである。
【００２３】
図１に示すように、本実施形態のカメラシステムは、カメラボディ１と、レンズ鏡筒２とを有する。カメラボディ１は、その内部に、電源３と、ＤＣ−ＤＣコンバータ４と、ボディＣＰＵ５とを有する。電源３から供給される電圧は、ＤＣ−ＤＣコンバータ４により定電圧にされてロジック系電源電圧Ｖｄｄとなる。その電圧Ｖｄｄは、ボディＣＰＵ５に印加されると共に、トランジスタ６および接点１０，１４を通してレンズＣＰＵ１５に印加される。レンズＣＰＵ１５への電圧印加は、ボディＣＰＵ５からの信号に基づきトランジスタ６をオン・オフすることにより制御される。
【００２４】
レンズ鏡筒２は、カメラボディ１に対して着脱自在に接続され、その接続部の接点９〜１４を通して、信号の通信または電力の供給が行われる。接点９は、レンズ鏡筒２の内部に装着されるモータドライバ１９など、比較的に大電流のパワー系電源電圧Ｖｃｃが必要とされるパワー駆動装置へ、電圧を供給するための接点である。
【００２５】
接点１１〜１３は、ボディＣＰＵ５とレンズＣＰＵ１５との間でデータ通信を行うための接点である。接点１０および１４は、レンズＣＰＵ１５へロジック系電源電圧Ｖｄｄを供給するための接点である。
【００２６】
電源３から接点９に至るカメラボディ１の内部回路には、トランジスタ７および抵抗８が接続してある。トランジスタ７は、ボディＣＰＵ５からの信号により制御され、レンズ鏡筒２へのパワー系電源電圧Ｖｃｃの制御を行っている。たとえばボディＣＰＵ５からの信号に基づきトランジスタ７をオンにすると、電源３からの電圧は、直接にパワー系電源電圧Ｖｃｃとして、接点９を介してモータドライバ１９へ印加される。
【００２７】
レンズ鏡筒２には、図示省略してあるレンズが装着してあると共に、レンズを通過する光の開口面積を調節する絞り機構２６が装着してある。絞り機構２６の絞り羽根は、ステッピングモータ２４により駆動され、そのモータ２４は、レンズＣＰＵ１５からの信号に基づき、モータドライバ１９により制御される。
【００２８】
絞り機構２６では、絞り羽根を駆動して絞りを制御するが、絞りの開放位置は、位置検出センサ２５により検出され、検出信号は、開放検出回路１８を介してレンズＣＰＵ１５へと送信される。
【００２９】
本実施形態のレンズ鏡筒２には、絞りを設定するための絞り環などの絞り設定部１７が装着してある。絞り環は、レンズのズーム倍率を制御するズーム環などと共に、レンズ鏡筒の固定筒に対して回転自在に装着してある。絞り設定部１７にて設定された絞り値データは、レンズＣＰＵ１５に入力される。
【００３０】
ボディＣＰＵ５とレンズＣＰＵ１５との間の接点１１〜１３にて、絞りデータの通信が可能な場合には、レンズＣＰＵ１５に入力された絞り値データは、ボディＣＰＵ５に通信される。
【００３１】
レンズ鏡筒２には、外部から操作可能なように、絞り込みスイッチ２３が装着してある。絞り込みスイッチ２３は、接点９とモータドライバ１９との間の電源ラインＬ１とアース接地Ｅとの間に接続してあるスイッチ２２を操作する。スイッチ２２は、常時開のスイッチであり、絞り込みスイッチ２３が押されている間のみ、オンになり、電源ラインＬ１とアース接地Ｅとの間を接続する。絞り込みスイッチ２３が押されていないときには、スイッチ２２はオフとなり、電源ラインＬ１とアース接地Ｅとの間を接続しない。
【００３２】
スイッチ２２と電源ラインＬ１との間には、ダイオード２１が接続してあり、一方向にのみ電流が流れるようにしてある。また、ダイオード２１とスイッチ２２との間のラインには、ダイオード２０を介してレンズＣＰＵ１５が接続してあり、レンズＣＰＵ１５は、スイッチ２２が押されたか否かを監視できるようになっている。
【００３３】
図１に示すカメラシステムにおいて、カメラボディ１の電源を入れた場合、あるいは、何らかの操作を行い、スリープモードを解除した場合には、ボディＣＰＵ５がトランジスタ６を起動させて、レンズＣＰＵ１５に接点１０を通して電源電圧Ｖｄｄを供給する。なお、スリープモードとは、カメラボディ１またはレンズ鏡筒２が、所定時間以上操作されない場合に、電源から各部品に供給される電力を減少させる（０にすることを含む）モードである。カメラボディ１のスイッチ類、あるいはレンズ鏡筒２の絞り込みスイッチ２３を操作者が操作することで、スリープモードが解除される。すなわち、カメラボディ１がタイマーオフから復帰する。
【００３４】
カメラボディ１のスイッチ類が操作されたか否かは、それらのスイッチ類に接続されているボディＣＰＵ５により容易に検知することができる。また、レンズ鏡筒２の絞り込みスイッチ２３を操作者が操作することによる、タイマーオフからの復帰動作は、以下の通りである。
【００３５】
すなわち、絞り込みスイッチ２３を押すと、スイッチ２２がオンとなり、ダイオード２１を介して電源電圧Ｖｃｃが印加されることにより電流が流れる。そのため、抵抗８にてプルアップされた電源ラインの電源電圧Ｖｃｃの電圧レベルが低下する。その時には、トランジスタ７は、まだオフである。ボディＣＰＵ５は、電源電圧Ｖｃｃを監視しているので、電源電圧Ｖｃｃの電圧レベルが閾値以下になると、カメラボディ１をタイマーオフから復帰させ、スリープモードを解除する。すなわち、トランジスタ６をオンにしてレンズＣＰＵ１５への電源電圧Ｖｄｄを供給する。
【００３６】
また、同時に、ボディＣＰＵ５とレンズＣＰＵ１５とが接点１１〜１３を通して通信を行い、必要であれば、トランジスタ７をオンにして、モータドライバ１９などのパワー駆動装置へ、電圧を供給可能にする。
【００３７】
図２は、図１に示すカメラボディ１とレンズ鏡筒２とが、絞り情報に関しての通信ができない場合において、レンズＣＰＵ１５の絞り制御動作を示すフローチャート図である。図１に示すカメラボディ１とレンズ鏡筒２とが、絞り情報に関しての通信ができる場合における絞り制御に関しては、通常の制御により行われる。
【００３８】
図２に示すステップＳ１に示すように、図１に示すレンズＣＰＵ１５への電源電圧Ｖｄｄの供給が行われると、レンズＣＰＵ１５が起動され、図２に示すステップＳ２にて、図１に示すレンズＣＰＵ１５が、絞り込みスイッチ２３が押されているか否かを検出する。押されていると判断した場合には、ステップＳ３へ行き、絞り込みスイッチフラグを、「押された」フラグ情報Ｆ１に設定し、そのフラグ情報Ｆ１を、レンズＣＰＵ１５が不揮発性メモリ１６に保存する。
【００３９】
また、ステップＳ２にて、図１に示すレンズＣＰＵ１５が、絞り込みスイッチ２３が押されていないと判断した場合には、ステップＳ４へ行き、絞り込みスイッチフラグを、「押されていない」フラグ情報Ｆ０に設定し、そのフラグ情報Ｆ０を、レンズＣＰＵ１５が不揮発性メモリ１６に保存する。
【００４０】
次に、ステップＳ５では、図１に示すレンズＣＰＵ１５は、不揮発性メモリ１６のデータを参照し、絞り状態フラグ（Ｘ０，Ｘ１）に反映させる。たとえばスリープモードに入る際に、絞り込み状態で電源が落ちた場合には、絞り状態フラグＸ１が不揮発性メモリ１６に記憶してあり、絞り開放状態で電源が落ちた場合には、絞り状態フラグＸ０が不揮発性メモリ１６に記憶してある。ステップＳ５では、図１に示すレンズＣＰＵ１５が不揮発性メモリ１６からその絞り状態フラグ（Ｘ０，Ｘ１）を読み込む。
【００４１】
次に、ステップＳ６では、図１に示すレンズＣＰＵ１５が不揮発性メモリ１６から絞り込みスイッチフラグ情報を読み取り、そのフラグ情報が、「押された」フラグ情報Ｆ１である場合には、ステップＳ７へ行き、「押されていない」フラグ情報Ｆ０である場合には、ステップＳ９へ行く。ステップＳ７では、図１に示すレンズＣＰＵ１５が不揮発性メモリ１６の絞り状態フラグ（Ｘ０，Ｘ１）を逆にする。たとえば絞り状態フラグがＸ０であればＸ１にして、Ｘ１であればＸ０に変更する。
【００４２】
次にステップＳ８では、逆に設定された絞り状態フラグ（Ｘ０，Ｘ１）を、図１に示すレンズＣＰＵ１５が、不揮発性メモリ１６に書き込む。たとえば図３に示すように、スイッチ２２が一度押されれば、その立ち上がり信号に同期して、絞り状態フラグは、Ｘ１からＸ０に変更され、再度、スイッチ２２が押されれば、その立ち上がり信号に同期して、絞り状態フラグは、Ｘ０からＸ１に変更され、以下、同様に変更される。
【００４３】
ステップＳ９では、図１に示すレンズＣＰＵ１５からモータドライバ１９に信号を送り、ステッピングモータ２４を駆動して、絞り機構２６における絞りを開放位置に移動させる。絞りが開放位置に移動したことは、位置センサ２５にて検知され、開放検出回路１８を介してレンズＣＰＵ１５に知らされる。
【００４４】
次に図２に示すステップＳ１０では、図１に示すレンズＣＰＵ１５が不揮発性メモリ１６に記憶してある絞り状態フラグ（Ｘ０，Ｘ１）を読み込み、そのフラグが絞り込みフラグＸ１である場合には、ステップＳ１１へ行き、開放フラグＸ０である場合には、ステップＳ１２へ行く。
【００４５】
ステップＳ１１では、図１に示すレンズＣＰＵ１５が、絞り設定部１７で設定された絞り値データを読み出し、その絞り値データに基づき、目標絞り段数を算出する。レンズＣＰＵ１５は、その算出データに基づき、モータドライバ１９に駆動信号を送り、ステッピングモータ２４により絞り機構２６を駆動し、絞りを数段分駆動する。すなわち、スリープモード直前の絞りに戻すことができる。
【００４６】
図２に示すステップＳ１２では、通常のカメラ動作に戻り、図１に示すレンズＣＰＵ１５は、ボディＣＰＵ５からの通信を待つ。ボディＣＰＵ５では、通常のカメラ制御動作を行う。
【００４７】
本実施形態の絞り駆動装置を有するレンズ鏡筒２では、絞り機構２６の絞りが絞り込まれているかを示す絞り状態フラグ（Ｘ０，Ｘ１）を記憶する不揮発性メモリ１６を有する。そのため、カメラボディ１のスリープモードを解除して撮影を再開する際などに、素早く、スリープする前の絞りに戻すことが可能になる。また、レンズ鏡筒２に具備してある絞りスイッチ２３を操作することにより、図３に示すように、絞り状態フラグ（Ｘ０，Ｘ１）を切り替えられるので、スリープする前の絞りに戻すことを止めたりすることなども可能である。
【００４８】
また、この実施形態では、図２に示すステップＳ９に示すように、図１に示す絞り機構２６の絞りを開放位置に移動させた後に絞り込むので、正確な絞り制御が可能になる。
【００４９】
さらに、この実施形態では、カメラボディ１のボディＣＰＵ５ではなく、レンズ鏡筒２のレンズＣＰＵ１５にて絞り機構２６の制御を行うことで、レンズＣＰＵ１５がボディＣＰＵ５との絞り情報の通信ができない場合においても、レンズ鏡筒２側のみで絞り制御が可能になる。
【００５０】
なお、本発明は、上述した実施形態に限定されるものではなく、本発明の範囲内で種々に改変することができる。たとえば、図１に示すＥＥＰＲＯＭなどの不揮発性メモリ１６の代わりに、メモリカード、あるいはその他の記憶手段を用いることもできる。
【００５１】
また、上述した実施形態では、一眼レフ式デジタルスチルカメラについて説明したが、本発明に係る撮影装置は、銀塩カメラでも良く、さらには、ビデオカメラであっても良い。また、携帯電話などの小型機器のカメラにも応用することができる。
【図面の簡単な説明】
【００５２】
【図１】図１は本発明の一実施形態に係る絞り駆動装置が具備してあるレンズ鏡筒を有するカメラシステムのブロック図である。
【図２】図２は本発明の一実施形態に係る絞り駆動装置のフローチャート図である。
【図３】図３は図１に示す絞り込みスイッチの作用を示すグラフである。
【符号の説明】
【００５３】
１…  カメラボディ
２…  レンズ鏡筒
３…  電源
５…  ボディＣＰＵ
９〜１４…  接点
１５…  レンズＣＰＵ
１６…  不揮発性メモリ
１７…  絞り設定部
２２…  スイッチ
２３…  絞り込みスイッチ
２６…  絞り機構
【図１】
2009175562.tif 000003
【図２】
2009175562.tif 000004
【図３】
2009175562.tif 000005